(57)【要約】【課題】ケーブルの接続箇所による嵩張りを抑えて省スペース化が図られたコネクタ付多心ケーブルを提供する。【解決手段】コネクタ付多心ケーブル１０は、硬質基板３１に着脱される平面視矩形状のハウジング１２に複数の接続端子２１が保持され、ハウジング１２における硬質基板３１との着脱方向に平行な側面を構成する側板１３ａに接続端子２１の固定部２１ａが配置されている。ケーブル２３がハウジング１２の側板１３ａに沿って配置され、ケーブル２３から口出しした中心導体２４が接続端子２１の固定部２１ａに接続されるとともに、ケーブル２３の外部導体２６を、接続端子２１の固定部２１ａの配列方向に沿って設けたグランドバー１６に接続されている。【選択図】図２
2007287432.tif 000002
【特許請求の範囲】
【請求項１】
多心ケーブルを構成する各ケーブルを基板に接続するコネクタ付多心ケーブルであって、
前記基板に着脱される平面視矩形状のハウジングと、前記ハウジングにおける前記基板との着脱方向に平行な側面に配置された複数の接続端子とを有し、
前記ケーブルが前記ハウジングの側面に沿って配置され、前記ケーブルから口出しされた中心導体が前記接続端子に接続されたことを特徴とするコネクタ付多心ケーブル。
【請求項２】
請求項１に記載のコネクタ付多心ケーブルであって、
前記ハウジングの側面には、配置された前記接続端子の配列方向に沿ってグランドバーが設けられ、前記グランドバーには、前記ケーブルの中心導体の周囲に絶縁体を介して設けられた外部導体が接続されることを特徴とするコネクタ付多心ケーブル。
【請求項３】
請求項１または２に記載のコネクタ付多心ケーブルであって、
前記ハウジングは、前記基板が嵌合可能な筒状に形成された嵌合筒部を有し、前記嵌合筒部に前記基板を嵌合させることにより、前記基板に設けられた端子が前記接続端子に接続されることを特徴とするコネクタ付多心ケーブル。
【請求項４】
請求項３に記載のコネクタ付多心ケーブルであって、
前記嵌合筒部における前記基板の嵌合方向前方側が底板によって閉鎖されていることを特徴とするコネクタ付多心ケーブル。
【発明の詳細な説明】
【技術分野】
【０００１】
本発明は、コネクタ付多心ケーブルに係る。
【背景技術】
【０００２】
近年、情報通信機器や医療機器などに、中心導体の周囲に絶縁体を介して外部導体を設け、さらにその外周側を外被によって被覆した極細同軸ケーブルが使用されている。
【０００３】
同軸ケーブルは、複数本を例えばテープ状に整列して一体化して、多心ケーブルとされており、この多心ケーブルは、コネクタを介して基板に接続される（例えば、特許文献１参照）。
【０００４】
図３は、従来のコネクタ付多心ケーブルの一例を示すもので、図に示すように、コネクタ１は、プリント基板２にハウジング３が設けられており、プリント基板２には、複数の接続端子４が複数列に配列されて半田付けされてハウジング３内に支持されている。このコネクタ１には、プリント基板２のハウジング３と反対側の面である裏面に、多心ケーブル５の各ケーブル６が口出しされて半田付けされて接続されている。そして、このコネクタ１のハウジング３に、端部に複数の雌端子７を備えた雄基板８を嵌合させることにより、各接続端子４と雌端子７とが電気的に接続されるようになっている。
【０００５】
【特許文献１】特開２００５−２５９７１号公報
【発明の開示】
【発明が解決しようとする課題】
【０００６】
ところで、多心ケーブル５としては、９６芯、１２８芯あるいは１９２芯程度のものが一般的であるが、これら多心ケーブル５を、コネクタ１内にて２〜６列に配置された接続端子４に半田付けして接続すると、コネクタ１の裏面にて多数のケーブル６が積層された状態となる。
【０００７】
ここで、プリント基板２におけるケーブル６の接続箇所では、ケーブル６の外部導体の処理やプリント基板２への半田付けによる接続処理にある程度の高さが必要である。このため、ケーブル６が、例えば、０．４ｍｍ以下の極細であったとしても、プリント基板２における接続高さは、１本あたり０．８ｍｍ程度に抑えることしかできない。
【０００８】
したがって、コネクタ１の裏面にて多数のケーブル６が積層されると、コネクタ１の裏面側では、多数のケーブル６によって高さが嵩張り、情報通信機器や医療機器などの電子機器の小型化の要求に対応することが困難であった。
【０００９】
そこで、本発明は、ケーブルの接続箇所による嵩張りを抑えて省スペース化が図られたコネクタ付多心ケーブルを提供することを目的としている。
【課題を解決するための手段】
【００１０】
上記課題を解決することのできる本発明のコネクタ付多心ケーブルは、多心ケーブルを構成する各ケーブルを基板に接続するコネクタ付多心ケーブルであって、前記基板に着脱される平面視矩形状のハウジングと、前記ハウジングにおける前記基板との着脱方向に平行な側面に配置された複数の接続端子とを有し、前記ケーブルが前記ハウジングの側面に沿って配置され、前記ケーブルから口出しされた中心導体が前記接続端子に接続されたことを特徴とする。
【００１１】
また、前記ハウジングの側面には、配置された前記接続端子の配列方向に沿ってグランドバーが設けられ、前記グランドバーには、前記ケーブルの中心導体の周囲に絶縁体を介して設けられた外部導体が接続されることが好ましい。
【００１２】
さらに、前記ハウジングは、前記基板が嵌合可能な筒状に形成された嵌合筒部を有し、前記嵌合筒部に前記基板を嵌合させることにより、前記基板に設けられた端子が前記接続端子に接続されることが好ましい。
【００１３】
また、前記嵌合筒部における前記基板の嵌合方向前方側が底板によって閉鎖されていることが好ましい。
【発明の効果】
【００１４】
本発明のコネクタ付多心ケーブルによれば、基板が着脱される平面視矩形状のハウジングの側面を構成する側板に配置された複数の接続端子に、ハウジングの側板に沿って配置したケーブルの中心導体を接続するので、ケーブルが積層されることによるコネクタの高さ方向の嵩張りを抑えることができる。これにより、ケーブルの接続箇所におけるコネクタの設置スペースの省スペース化を図ることができ、情報通信機器や医療機器などの電子機器の小型化の要求に対応することができる。
【発明を実施するための最良の形態】
【００１５】
以下、本発明に係るコネクタ付多心ケーブルの実施形態について図面を参照して説明する。
図１は本実施形態に係るコネクタ付多心ケーブルの構造を示す側面図、図２は図１に示すコネクタ付多心ケーブルの断面図である。
【００１６】
図１及び図２に示すように、コネクタ付多心ケーブル１０は、コネクタ１１に多心ケーブル２２が接続された構成である。コネクタ１１は、例えば、合成樹脂等から一体成形されたハウジング１２を有している。このハウジング１２は、平面視矩形状に形成されており、筒状に形成された嵌合筒部１３と、この嵌合筒部１３の一方側の開口を塞ぐように装着された底板１４と、この底板１４の周縁から嵌合筒部１３の外周側へ突出されたフランジ部１５とを有している。
【００１７】
ハウジング１２を構成する嵌合筒部１３には、後述の雄基板３１との着脱方向と平行な側面を構成するそれぞれの側板１３ａに、複数の端子保持溝１３ｂが長手方向に沿って間隔をあけて配列されて形成されている。
【００１８】
また、複数の端子保持溝１３ｂの列の底板１４と反対側には、この端子保持溝１３ｂの列に沿ってグランドバー１６が設けられている。
ハウジング１２には、固定部２１ａと接続部２１ｂとを有する側面視Ｌ字状に屈曲された複数の接続端子２１が保持されている。これら接続端子２１は、その固定部２１ａがハウジング１２内から端子保持溝１３ｂへ挿通され、その先端部が嵌合筒部１３を構成する側板１３ａから突出された状態で配置されている。また、接続端子２１は、その接続部２１ｂがハウジング１２内にて嵌合筒部１３の底板１４と反対側の開口部１３ｃ側へ突出されている。
【００１９】
上記構造のコネクタ１１には、その両側面にて、多心ケーブル２２の各ケーブル２３が接続されている。
この多心ケーブル２２を構成するケーブル２３は、その中心位置に中心導体２４を有し、この中心導体２４の周囲に、絶縁体２５、外部導体２６及び外被２７が同軸状に順次設けられた極細（例えば、直径０．４ｍｍ程度）の同軸ケーブルである。
そして、この多心ケーブル２２は、多数のケーブル２３を備えた複数芯（例えば、９６芯、１２８芯あるいは１９２芯）とされている。
【００２０】
このケーブル２３は、その端部において、絶縁体２５から中心導体２４が口出しされ、外被２７の一部が除去されて外部導体２６が露出されている。
そして、このように端末処理が施されたケーブル２３は、コネクタ１１の下方側から嵌合筒部１３の側板１３ａに沿って配置され、中心導体２４が各接続端子２１の固定部２１ａに半田付けされて接続されている。また、このケーブル２３は、外部導体２６がグランドバー１６に半田付けされて接続されている。
【００２１】
上記のように、多心ケーブル２２の各ケーブル２３が接続されたコネクタ１１には、ハウジング１２を構成する嵌合筒部１３に、その開口部１３ｃから硬質基板３１が嵌合される。この硬質基板３１は、両面に複数の端子を備えている。そして、この硬質基板３１をコネクタ１１の嵌合筒部１３に嵌合させると、この硬質基板３１の端子とコネクタ１１の接続端子２１の接続部２１ｂが嵌合して電気的に接続されるようになっている。
【００２２】
なお、ハウジング１２の底板１４の周縁から嵌合筒部１３の外周側へ突出されたフランジ部１５を把持しながら硬質基板３１からコネクタ１１を引き離すことにより、硬質基板３１からコネクタ１１を容易に外して、コネクタ１１の接続端子２１の接続部２１ｂと硬質基板３１の端子との接続を解除することができる。
【００２３】
以上説明したように、上記実施形態に係るコネクタ付多心ケーブル１０によれば、硬質基板３１が着脱される平面視矩形状のハウジング１２の側面を構成する側板１３ａに配置された複数の接続端子２１の固定部２１ａに、ハウジング１２の側板１３ａに沿って配置したケーブル２３の中心導体２４を接続するので、ケーブル２３が積層されることによるコネクタ１１の高さ方向の嵩張りを抑えることができる。これにより、コネクタ１１の周囲における設置スペースの省スペース化を図ることができ、情報通信機器や医療機器などの電子機器の小型化の要求に対応することができる。
【００２４】
また、ハウジング１２に接続端子２１を保持させる構造であるので、ハウジング１２とは別に接続端子２１を支持する基板を設ける必要がなく、部品点数の削減及び構造の簡略化による低コスト化を図ることができる。
【００２５】
また、接続端子２１の固定部２１ａの配列方向に沿って設けられたグランドバー１６に、ケーブル２３の外部導体２６を接続し、複数のケーブル２３を一括して接地することができる。つまり、多数のケーブル２３の外部導体２６の処理を極めて容易に行うことができ、ケーブル２３の接続作業の容易化を図ることができる。
【００２６】
また、筒状に形成されたハウジング１２の嵌合筒部１３に硬質基板３１を嵌合させることにより、硬質基板３１の両面に設けられた端子をそれぞれコネクタ１１の接続端子２１に容易に接合させることができる。
このとき、ハウジング１２における硬質基板３１の嵌合方向前方側が底板１４によって閉鎖されているので、底板１４に硬質基板３１を突き当てることにより、硬質基板３１との確実な接続状態を確保することができる。
【００２７】
なお、上記実施形態では、ハウジング１２の嵌合筒部１３の各側板１３ａにて接続端子２１の固定部２１ａをそれぞれ１列に配置させたが、接続端子２１の固定部２１ａの配列は１列に限らず複数列であっても良い。
【図面の簡単な説明】
【００２８】
【図１】本発明の実施形態に係るコネクタ付多心ケーブルの構造を示す側面図である。
【図２】図１に示すコネクタ付多心ケーブルの断面図である。
【図３】従来のコネクタ付多心ケーブルの一例を示す側面図である。
【符号の説明】
【００２９】
１０  コネクタ付多心ケーブル
１１  コネクタ
１２  ハウジング
１３  嵌合筒部
１４  底板
１６  グランドバー
２１  接続端子
２２  多心ケーブル
２３  ケーブル
２４  中心導体
２５  絶縁体
２６  外部導体
３１  硬質基板（基板）
３２  端子
【図１】
2007287432.tif 000003
【図２】
2007287432.tif 000004
【図３】
2007287432.tif 000005